(57)【要約】本発明は、皮膚（３０）から毛髪（４６）を除去する装置（１）に係る。当該装置は、光学毛髪切断装置（１２，１４，２０）、並びに、毛髪及び破片除去システムを有する。毛髪除去システムは、切断後に毛髪を除去するよう、毛髪（４６）と機械的に係合するリムーバ部（３６）を有する。機械的係合手段の使用は、光学非接触サービング方法が毛髪の実際の除去において支援される、という利点を有する。該方法自体は、切断後に毛髪を除去することはできない。残余部除去システムは、ブラシ（３６）、テープ、又は流体ディスペンサを有し得、また、吸入装置（４８）によって支援され得る。
2009509617.tif 000002
【特許請求の範囲】
【請求項１】
皮膚から毛髪を除去する装置であって、
・  残留する毛髪部分から該毛髪が切断されるよう、前記毛髪に対して特にはコヒーレント光エネルギである光エネルギを伝達するよう構成並びに配置される、毛髪を短くする光学装置と、
・  切断された毛髪を前記皮膚から除去するよう構成並びに配置される、破片除去システムと、
を有し、
該破片除去システムは、前記切断された毛髪を前記皮膚から除去するよう前記切断される毛髪と機械的に係合するよう構成並びに配置される、リムーバ部を有する、
ことを特徴とする装置。
【請求項２】
前記光学装置は、前記毛髪における１つ又はそれより多くの皮下点に対して前記光エネルギを伝達することによって、前記皮膚の表面の下方において望ましくは少なくとも０．１ｍｍ、より望ましくは少なくとも０．３５ｍｍで、前記毛髪を皮下において切断するよう構成並びに配置される、
請求項１記載の装置。
【請求項３】
前記リムーバ部は、皮膚上における前記装置の使用中において、前記皮膚にわたって前記皮膚と接触して動かされるよう構成される、
請求項１記載の装置。
【請求項４】
前記リムーバ部は、当該装置の使用時に前記切断される毛髪と係合するよう前記皮膚にわたって擦るスクレイパを有する、
請求項１記載の装置。
【請求項５】
前記リムーバ部は、当該装置全体の運動とは無関係に、前記皮膚に対して動くよう構成される可動部を有する、
請求項１記載の装置。
【請求項６】
前記可動部は、当該装置の使用時に望ましくは前記皮膚に対して実質的に平行である軸の周囲に回転可能である、
請求項５記載の装置。
【請求項７】
前記リムーバ部は、ブラシを有する、
請求項１記載の装置。
【請求項８】
前記破片除去システムは、前記皮膚への適用に対する接着剤に対するホルダを有する、
請求項１記載の装置。
【請求項９】
前記接着剤は、接着テープを有する、
請求項８記載の装置。
【請求項１０】
前記リムーバ部は、接着流体に対する容器と、前記流体を前記皮膚上へと分注する分注開口と、を有する、
請求項８又は９記載の装置。
【請求項１１】
前記破片除去システムは、吸入装置を追加的に有し、該吸入装置は、除去されるべき切断された毛髪を有する前記皮膚の一部上において周囲圧力より低い圧力を作るよう構成される、
請求項１記載の装置。
【請求項１２】
前記吸入装置は、空気吸入装置及び流体吸入装置のうち少なくとも一方を有する、
請求項１１記載の装置。
【請求項１３】
切断された毛髪を収集する容器を有する、
請求項１記載の装置。
【請求項１４】
加圧部を有し、
該加圧部は、皮膚上における当該装置の使用中、前記皮膚を圧迫し、前記残留毛髪部及び前記切断された毛髪のうち少なくともいずれかが前記皮膚から出る方向において動かされるようにする、
請求項１記載の装置。
【請求項１５】
前記加圧部は、前記リムーバ部を少なくとも部分的に取り囲むリッジを有する、
請求項１４記載の装置。
【発明の詳細な説明】
【技術分野】
【０００１】
本発明は、皮膚から毛髪を除去する装置に係る。特には、本発明は、毛髪を短くする光学装置、及び破片除去システム（ｄｅｂｒｉｓ  ｒｅｍｏｖａｌ  ｓｙｓｔｅｍ）に係る。該光学装置は、残留する毛髪部分（ａ  ｒｅｍａｉｎｉｎｇ  ｈａｉｒ  ｐａｒｔ）から毛髪が切断されるよう、毛髪に対して特にはコヒーレント光エネルギ（ｃｏｈｅｒｅｎｔ  ｏｐｔｉｃａｌ  ｅｎｅｒｇｙ）である光エネルギを伝達するよう構成並びに配置される。該破片除去システムは、切断された毛髪を皮膚から除去するよう構成並びに配置される。
【背景技術】
【０００２】
皮膚から毛髪を除去する装置は、以前から既知である。最近は、髭剃り等に対する光学装置が開発されている。全ての装置に対して、切断された毛髪及び／又は他の破片（ｄｅｂｒｉｓ）は、髭剃りや脱毛等の後に皮膚から除去される、ことが望まれる。さもなければ、切断された毛髪及び／又は他の破片は、皮膚上において依然として目立つか、あるいは顔面等の皮膚及びユーザの服等にわたって散乱される。
【０００３】
例えば、ＵＳ  ５，６０６，７９８（特許文献１）は、毛髪収集器を有する毛髪切断装置を開示する。毛髪切断装置は、筐体、及び筐体におけるレーザ器を有する。切られた毛髪は、真空装置又は静電気毛髪収集装置によって筐体内部に収集される。
【０００４】
既知の装置の問題は、以下の点にある。毛髪光学切断が毛髪を切断する非接触法であるため、用いられる装置及び方法自体では、切られた毛髪を除去することができない。既知の装置はまた、切られた毛髪を除去しようとする非接触装置又は方法を使用する。しかしながら、切られた毛髪上にかけられ得る力が制限されるため、かかる非接触方法、即ち真空吸引又は静電気引力は、切られた毛髪を信頼性高く除去することが常にはできない。これは特に、皮膚、特には脂肪質の物質や皮膚上の水分等に対してくっつく、切られた毛髪をとどめておく。
【特許文献１】ＵＳ  ５，６０６，７９８
【発明の開示】
【発明が解決しようとする課題】
【０００５】
本発明は、より信頼性高く皮膚から毛髪を除去することができる上述された種類の装置を与える、ことを目的とする。
【課題を解決するための手段】
【０００６】
この目的は、上述された種類の装置を有して達成される。当該装置は、破片除去システムがリムーバ部を有する、ことを特徴とする。該リムーバ部は、切断された毛髪を皮膚から除去するように切断された毛髪と機械的に係合するよう（ｍｅｃｈａｎｉｃａｌｌｙ  ｅｎｇａｇｅ  ｔｈｅ  ｓｅｖｅｒｅｄ  ｈａｉｒ）構成並びに配置される。切断された毛髪を皮膚から除去するために、切断された毛髪と機械的に係合するよう構成並びに配置されるリムーバ部を与えることによって、より高い力は、確実に切断された毛髪にかけられ得る。これは、機械的に毛髪に係合することによって、毛髪と特にはリムーバ部である装置との間の機械的接触が確立される、という事実によるものである。
【０００７】
特には、毛髪とリムーバ部との間の接触は、切断された毛髪の表面とリムーバ部の表面との間において摩擦力を確立することに関わる。切断された毛髪の表面とリムーバ部の表面との間における接着は、「摩擦力」という表現において含有されると見なされる、ことが留意される。切断された毛髪と固体表面との間の真の摩擦力は、特別な一実施例にある。
【０００８】
特別な一実施例では、光学装置は、皮膚の下方の望ましくは少なくとも０．１ｍｍ、より望ましくは少なくとも０．３５ｍｍにおいて、毛髪を皮下で切断するよう構成及び配置される。皮下光学毛髪切断に対する毛髪除去を可能にするこの実施例は、次の理由に対して特に効果的である。「皮下」という表現は、「皮膚の表面の下方において生じる」ことをさすよう意図される。伸びている毛髪が皮膚から突出するにはより長い時間がかかるため、皮膚の表面の下方における毛髪を切断することは、望ましい。平均的な髭が１日に約０．３５ｍｍ伸びるため、皮膚の表面の下方の深さ０．３５ｍｍ又はそれより深くにおける１日１回の光学髭剃りによって１日中滑らかな皮膚を維持することは、可能である。かかる光学装置の実用的な実施例は、ＷＯ  ００／６２７００及びＷＯ  ２００５／０１１５１０等から技術的に既知である。更なる詳細は、かかる特許文献において見られ得る。皮膚の表面の下方における毛髪を短くする際、切断された毛髪は、毛幹の内部において少なくとも部分的に存在する。毛幹の壁との摩擦等である機械的影響、更には皮脂等の脂肪質の物質により、この切断された部分は、毛幹においてくっつく（ｓｔｉｃｋ）。これは、既知の方法及び装置が、少なくとも信頼性を有して毛幹から切断された毛髪部を除去することができない、ことを意味する。これは、切断された毛髪部が大変短い場合、特には毛髪が髭剃り等において定期的に短くされる場合において、より当てはまる。本実施例の装置は、切断された毛髪と機械的に係合することによって毛髪に十分大きな力をかけることがより容易であるため、切断された毛髪を除去するよう適切である。
【０００９】
脂線によって分泌される皮脂が内毛根鞘を溶解するため、毛髪が皮脂管（ｓｅｂａｃｅｏｕｓ  ｄｕｃｔ）の周囲の深さまで切断される際、切断された毛髪は、皮膚に対して既に生理的に繋げられて（ｐｈｙｓｉｏｌｏｇｉｃａｌｌｙ  ｃｏｎｎｅｃｔｅｄ）いない、ことが留意される。皮脂管の下方において、毛髪は、内毛根鞘によって皮膚に対して多少繋げられる。皮脂管の下方において切断される毛髪を除去するよう求められる力は、皮脂管まで切断される毛髪を除去するよう求められる力と比較して、多少急激に増大する。力は、増大する深さと共により大きくなり、故に例えば手による脱毛と同程度の痛み感覚をもたらす。従って、毛髪を切断する望ましい深さは、皮脂管のレベルまでである。この深さは、０．２５ｍｍ乃至１ｍｍにおいて様々である。
【００１０】
特別な一実施例では、リムーバ部は、皮膚上での装置の使用中、皮膚にわたって皮膚と接触して動かされるよう、構成される。かかるリムーバ部は、毛髪に対する距離が最小限であるため、毛髪との優れた機械的係合を確実なものとする。
【００１１】
特定の一実施例では、リムーバ部は、スクレイパを有する。該スクレイパは、装置の作動中、切断された毛髪と係合するよう皮膚にわたって擦る（ｓｃｒａｐｅｓ）。スクレイパは、切断された毛髪との優れた機械的接触を可能とする。スクレイパは、摩擦力等である機械的係合力を高めるよう、適合され得る。この目的に対して、スクレイパの材料は、毛髪材料（ｈａｉｒ  ｍａｔｅｒｉａｌ）との摩擦係数に基づき選択され得、例えばゴム状材料である。スクレイパの形状を適合することも可能である。例えば、スクレイパは、皮膚表面にわたって動かされる単一のリッジを有し得る。しかしながら、スクレイパは、皮膚上における動作を高め、且つ切断された毛髪がスクレイパによって実際に除去される可能性を高めるよう、複数の近接するリッジを有し得る。
【００１２】
装置の使用時に、スクレイパは、機械的係合を介して毛幹から切断される毛髪を引っ張り得るだけではなく、特には毛髪が切断される深さが十分の数ミリメートル等であるように比較的浅い場合、毛髪を押すあるいは倒す（ｔｏｐｐｌｅ）することも可能である。
【００１３】
特別な一実施例では、リムーバ部は、可動部を有する。該可動部は、装置全体の運動とは無関係に、皮膚に対して動くよう構成される。リムーバ部を装置全体とは無関係に可動にすることによって、可動性は最大限にされ得る。「可動」という語は、能動的に（＝モータによって駆動される）可動であること、及び、皮膚又は毛髪との摩擦等によって受動的に可動であることを含有する、ことが留意される。一例として、専用のリムーバ部モータは、例えば振動を生じて皮膚にわたってリムーバ部を能動的に動かし得る。かかる振動の回数及び振幅は、最適な結果を達成するよう最適にされ得る。
【００１４】
他の特別な実施例では、可動部は、装置の使用時に、望ましくは皮膚に対して実質的に平行に延在する軸の周囲に回転可能である。軸の周囲に回転される部分を有するこの実施例は、大変単純なモータあるいは摩擦又は空気／流体流等である他の外的手段によってかかる運動を大変容易に与える、という利点を有する。大半の非回転運動に対して付随する振動を有さず、リムーバ部の比較的高い速度を得ることは可能である。
【００１５】
特定の一実施例では、リムーバ部は、ブラシを有する。ブラシはまた、軸の周囲に回転可能及び／又は可動であり得る。ブラシは、切断された毛髪を係合するよう複数の毛を有し得る。特には多数である適切な数の毛を選択することによって、切断された毛髪は、大変短い際でも、皮膚から信頼性高く除去され得る。
【００１６】
他の特別な実施例では、破片除去システムは、皮膚への適用に対する接着剤に対するホルダを有する。機械的係合はまた、皮膚に対して接着剤を適用することによってもたらされ得る。上述された通り、機械的力は続いて、接着剤と切断された毛髪との間における接着によってもたらされる。本発明の一実施例では、装置は、かかる接着剤に対するホルダを有するよう、適用される。ここでは、ホルダは、接着剤を保持するよう構成並びに設計される装置における一部を有し得る。
【００１７】
特定の一実施例では、接着剤は、接着テープを有する。この装置における使用に対する接着テープの一例は、脱毛ワックステープである。あるいは、切断された毛髪に対する適切な接着及びストリップを除去する際に過剰な痛みをもたらさない皮膚に対する接着を有する他の接着テープは、適切である。本発明の一実施例の場合、接着剤に対するホルダは、例えばリールを有する。
【００１８】
他の特別な実施例では、リムーバ部は、接着流体を有する。該流体は、接着流体が除去される際に、切断された毛髪を取り去るよう、切断された毛髪に十分な接着力を便宜上与える。接着流体は、例えば皮膚を洗浄すること又は皮膚から剥がすことによって除去される。
【００１９】
特別な一実施例では、リムーバ部は、接着流体に対する容器、及び皮膚上に流体を分注する分注開口を有する。使用時に、ユーザは、例えば毛髪を短くした後に、皮膚上へと流体を分注し得る。続いて切断された毛髪は、洗浄することや擦ること等で皮膚から流体を除去することによって、除去され得る。
【００２０】
特別な一実施例では、破片除去システムは更に、吸入装置を有する。該吸入装置は、除去されるべき切断された毛髪を有する皮膚の一部上において周囲圧力より低い圧力をもたらすよう構成される。かかる吸入装置は、毛髪又は破片、あるいは切断された毛髪と係合又は接着する接着剤等である製品を除去する支援をし得る。たとえ吸入装置自体が切断された毛髪を除去することができない際でも、切断された毛髪上にかけられる全体的な力を増大させることによって、切断された毛髪を除去する支援をし得る。更には、かかる吸入装置はまた、切断された毛髪又は破片が取り去られる方向を明確に確定することによって、切断された毛髪又は破片の散らばりを防ぐ支援をし得る。
【００２１】
特別な一実施例では、吸入装置は、空気吸入装置及び流体吸入装置のうち少なくとも一方を有する。空気吸入装置は、例えば真空吸入装置であり得、技術的には周知である。かかる装置は、皮膚から既に解放されている毛髪を収集する支援をし得る。さもなければ、これらの毛髪がリムーバ部によって係合される前に皮膚や服等にわたって散らばる、というリスクを負うこととなる。更には、除去された切断された毛髪がリムーバ部から離れてしまった場合、空気吸入装置等である吸入装置は再度、皮膚等にわたって切断された毛髪の散らばりを防ぐ支援をする。
【００２２】
流体吸入装置は、流体が皮膚上に存在する場合に支援し得る。流体を皮膚から吸入することによって、流体において（接着して）存在する切断された毛髪も皮膚から吸入され得る。
【００２３】
特定の一実施例では、本発明に従った装置は、切断された毛髪を収集する容器を有する。かかる容器は、切断された毛髪を制御されて確かに収集する役割を有する。これは、切断された毛髪が装置において散らばることを防ぐ。該散らばりは、不具合又は不衛生な環境等を引き起こす。有利には、容器は取外し可能であり、装置のユーザはその後の使用に対して容器を空にし得る。他の有利な一実施例では、容器はフィルタを有し、該フィルタは、それを介して空気及び／又は流体が通過し得、切断された毛髪を実質的に除去する。例えば、並びに特に吸入装置の場合において、空気流又は流体流の明確な方向は、フィルタを介して空気流又は流体流を導くことによって、切断された毛髪を更なる制御下において収集する役割を有する。
【００２４】
特別な一実施例では、装置は、加圧部（ａ  ｐｒｅｓｓｕｒｅ  ｅｘｅｒｔｉｏｎ  ｐａｒｔ）を有する。該加圧部は、皮膚上における装置の使用中、皮膚を圧迫し（ｃｏｍｐｒｅｓｓｅｓ）、残留する毛髪部又は切断された毛髪のうち少なくともいずれかが皮膚から出る方向において動かされるようにする。かかる加圧部は、次の通り有利であり得る。皮膚を圧迫することによって、多種の外皮層は、局所的に更に薄くなる。しかしながら、皮膚に残留する部分及び切断された部分は、いずれも圧迫性の低い（ｌｅｓｓ  ｃｏｍｐｒｅｓｓｉｂｌｅ）毛髪であり、長さにおける同様の低減を示さない。これは、毛髪のこれらの部分がかかる皮膚層、即ち外皮層に対して動く、ことを意味する。その効果は、かかる部分が外側から更に手が届きやすい、ことである。これは、圧迫されていない状態において、皮膚の下方の特定の深さにおいて毛髪を更に容易に短くする役割を果たし得る。しかし、特には、切断された毛髪部を毛幹において上方向に動かす役割も果たし、従って切断された毛髪部が毛幹においてくっつき得る力を低減させる。したがってこれは、毛幹から切断された毛髪を除去するよう求められる力を低減させる。残留する毛髪部が切断された毛髪部に対してそれを外方向に押す「アンビル（ａｎｖｉｌ）」としての役割を有する、とも言える。
【００２５】
特定の一実施例では、加圧部は、少なくとも部分的にリムーバ部を取り囲むリッジを有する。かかるリッジあるいはリム又は他の突起部は効果的に、外皮層を局所的に圧迫することができる。リムーバ部の全周囲にわたってそうされる必要はないが、これは更に有利な実施例である。
【発明を実施するための最良の形態】
【００２６】
本発明のこれらの及び他の態様は、以下に記載される実施例を参照して明らかに説明される。
【００２７】
図１は、本発明に従った装置１を概略的に図示する。装置１は、レーザ源１２を有する筐体１０を有する。レーザ源１２は、光学システム１４を介して、焦点１８を有するレーザビーム１６を放射する。光学ビームマニピュレータは参照符号２０で示され、制御ユニットは参照符号２２で示される。
【００２８】
皮膚３０は、毛髪３２及び残留する毛髪部３４を有する。
【００２９】
毛３８を有するブラシ３６は、切断された毛髪４６で満たされる容器４４に対して接続される吸入管４２を有する吸入筐体４０の前方に位置決めされる。参照符号４８は、筐体における出口開口を有する吸入装置５０を示す。参照符号６０は、視野６２を有する撮像装置を示す。
【００３０】
筐体１０は、適切な形状を有し得、金属又はプラスチック等である適切な材料を有して作られる。レーザ源１２は、ＷＯ  ００／６２７００等において開示される通り、毛髪を短くするよう適切なレーザ源であり得る。特には、レーザ源は、毛髪３２におけるＬＩＯＢ現象（ＬＩＯＢ  ｐｈｅｎｏｍｅｎｏｎ）を発生させるよう配置され、毛髪３２は、皮膚３０の表面の下方において切られ得る。しかしながら、かかるＬＩＯＢ発生レーザ源１２は、毛髪３２の皮下切断を引き起こすレーザ源の唯一の種類ではない、ことが留意される。更に、パルスＬＥＤ等である他の種類の光学源を使用することは、除外されない。
【００３１】
光学システム１４は、焦点１８へと放射されるレーザビーム１６を集束する。かかる焦点１８は、皮膚３０の表面の上方又は下方に存在し得る。焦点において、出力密度及びエネルギは、毛髪３２が切られるようにされる。切られた後には、残留毛髪部３４、及び切断された毛髪４６がある。
【００３２】
レーザビームは、レーザビームマニピュレータ２０を介して皮膚３０に向かって方向付けられる。レーザビームマニピュレータ２０は、例えばピボット可能である可動の鏡であり得る。レーザビームマニピュレータ２０は、レーザ源１２及び毛髪撮像装置６０に対して接続され得る制御ユニット２２を用いて制御される。毛髪撮像装置６０は、ＣＣＤカメラ等を有し得る。毛髪撮像装置は、視野６２を有する。皮膚４０の毛髪３２の画像を形成することによって、撮像システム６０は、焦点１８に対して目標位置を確定することができる。したがって制御ユニット２２は、ビームマニピュレータ２０を動かすことによって目標位置に向かって焦点１８を方向付ける。
【００３３】
毛髪３２を短くした後、あるいは切断後、切断された毛髪４６は、皮膚上においてあるいは皮膚において存在する。切断された毛髪４６を信頼性高く除去するよう、装置１は、この場合は毛３８を有するブラシ３６である機械的リムーバ部を有する。ブラシ３６は、その軸の周囲に回転し得る。毛３８は、切断された毛髪４６と機械的に係合し、皮膚３０の表面から該毛髪を除去する。切断された毛髪４６をより信頼性高く除去するよう支援するために、吸入装置が任意で与えられる。該吸入装置は、吸入管４２を有する吸入筐体４０を有し、該管４２を介して空気が吸入装置４７によって吸入され得る。この空気は、矢印Ａの方向において出口開口５０を介して筐体１０を出得る。切断された毛髪４６は、空気流によって取り込まれ、容器４４において収集される。容器４４は、フィルタ（図示せず）を備えられ得、空気が通過し且つ切断された毛髪４６が容器４４において残留するようにする。望ましくは、容器４４は取外し可能であり、空にされ得るか、並びに／あるいは洗浄され得る。
【００３４】
図２ａは、本発明の他の実施例の詳細を示す。接着剤７０は、皮膚３０上において切断された毛髪４６と接触するよう示される。更に、参照符号７２は、スクレイパでもあり、またリッジ７４を有する加圧部を示す。
【００３５】
図示される実施例では、毛髪３２は、皮膚３０の表面の下方において切断されており、切断された毛髪４６は、毛幹にくっついて残留する。切断された毛髪７０を除去するよう、適切なエマルジョンやワックス等である接着剤７０は、皮膚３０に対して適用されている。本発明に従った装置は、分注開口を有する接着剤７０に対する容器を有し得るが、図示されない。
【００３６】
洗浄すること又はタオルでぬぐうこと等によって切断された毛髪４６と共に接着剤７０を除去することは、可能である。接着剤を除去する支援を擦るよう、スクレイパ７２が利用され得、矢印Ｂの方向において皮膚にわたって動かされる。スクレイパは、皮膚３０の表面から接着剤７０及び切断された毛髪４６を擦り取る。スクレイパ７２と皮膚３０との間における接触を強めるよう、スクレイパ７２は、切断された毛髪４６との最適な機械的係合が確実に確立されるようリッジ７４を有する。
【００３７】
上述された通り、スクレイパ７２はまた、加圧部としての役割を有し得る。ションした装置の使用時に、加圧部７２は、皮膚３０に対して押し付けられる。続いて、図２ａ中に示される通り、皮膚３０の上方層は圧迫される一方、残留毛髪部３４は、実質的に動かされない。これの正味効果は、切断された毛髪４６が毛幹から出るよう少なくとも部分的に押される、ことである。したがって、毛幹にくっつく力、及び皮膚から切断された毛髪４６を除去するよう求められる力は、低減される。
【００３８】
上述された通り、接着剤７０、及びスクレイパ７２及び／又は加圧部７２はいずれも、組み合わされて、あるいは別個に使用され得る。特に、部分７２は、この図では２つの機能を有するが、それらは別個の部品であり得る。
【００３９】
図２ｂは、本発明に従った装置の他の実施例の詳細を示す。全図にわたって、同様の部品は同一の参照符号によって示される。特に、参照符号４０は吸入筐体の一部であり、毛３８を有するブラシ３６は、矢印Ｄの方向において回転可能であり、切断された毛髪４６と係合し、該切断された毛髪は矢印Ｃの方向において吸入され得る。装置全体は、特にブラシ３６及び吸入筐体４０を有し、矢印Ｅの方向において皮膚３０にわたって動かされ得る。
【００４０】
この実施例は、図１中に示される装置１の詳細にある程度対応する。当該装置の使用時に、ブラシ３６の毛髪３８は、切断された毛髪４６に機械的に係合し、皮膚３０から毛髪４６を除去する。切断された毛髪４６を明らかに除去するよう支援するために、空気、又はなんらかの種類の流体は、この場合は矢印Ｃの方向において皮膚３０から吸入され得る。切断された毛髪４６は、空気流において取り込まれ、吸入筐体４０を介して除去され得る。装置を矢印Ｅの方向において動かすことによって、ブラシ３６は、所望される皮膚表面の全てに対して適用され得る。
【００４１】
図２ｃは、本発明に従った装置の他の実施例の詳細を示す。ここでは、参照符号８０は接着材料８２の層を有するテープを示す。
【００４２】
テープは、残留毛髪３４、及び第２の残留毛髪３３を有する皮膚３０に対して適用される。残留毛髪のうち毛髪３４は皮膚３０の表面の下方において切断されている一方で、第２の残留毛髪３３は、皮膚３０の表面の上方において切断されている毛髪に属する、ことが留意される。これは、本発明が、皮膚の表面の下方において切断されている切断された毛髪の除去に制限されないことを示すが、この目的に対して利点を有する。
【００４３】
この実施例の使用時に、テープ８０は、皮膚３０と接触するテープ８０のリールをほどくことによって、皮膚３０の表面に対して適用され得る。テープ８０上における接着材料８２は、切断された毛髪４６と接触する。続いてテープ８０を例えば矢印Ｆの方向等において剥がし取ることによって、接着材料８２を有するテープは、皮膚３０から切断された毛髪４６を除去する。必要に応じて、接着材料８２は、切断された毛髪４６が毛幹にくっつく場合に切断された毛髪４６を毛幹から引き出す。当然のことながら、第２の残留毛髪においては、接着材料は、皮膚から切断された毛髪４６及び他の破片を単純に除去する。
【図面の簡単な説明】
【００４４】
【図１】本発明の装置の一実施例を概略的に図示する。
【図２】図２ａ乃至２ｃは、本発明に従った装置の他の実施例を詳細に図示する。
【図１】
2009509617.tif 000003
【図２ａ】
2009509617.tif 000004
【図２ｂ】
2009509617.tif 000005
【図２ｃ】
2009509617.tif 000006
【国際調査報告】
2009509617.tif 000007
2009509617.tif 000008
2009509617.tif 000009